(57)【要約】【課題】時計のバンドの内駒及び外駒等の小さな部品にヘアライン模様の風合いに近い模様を施す。【解決手段】表面に装飾領域を有する時計用バンド等の部品において、装飾領域に対し、複数の線によって構成される装飾パターンを複数重畳して描画するようにレーザ光を順次照射する。【選択図】図８
2019195979.tif 000002
【特許請求の範囲】
【請求項１】
表面に装飾領域を有し、該装飾領域にレーザ光による装飾が施された部品の製造方法であって、
前記装飾領域に、複数の線によって構成される装飾パターンを複数重畳して描画するようにレーザ光を順次照射することを特徴とする部品の製造方法。
【請求項２】
前記複数の装飾パターンは全て同じパターンであり、少なくとも２つの装飾パターン間で前記線の延伸方向が異なるように前記レーザ光を照射することを特徴とする請求項１に記載の部品の製造方法。
【請求項３】
前記装飾パターンの少なくとも２つは異なるパターンで描画されることを特徴とする請求項１に記載の部品の製造方法。
【請求項４】
前記装飾パターン間の前記線の延伸方向の角度差は全体を通して±１°の範囲内であることを特徴とする請求項１〜３のいずれか一項に記載の部品の製造方法。
【請求項５】
前記線の延伸方向の角度差は±０．１°以内であることを特徴とする請求項４記載の部品の製造方法。
【請求項６】
前記複数の装飾パターンの中で最後に描画される装飾パターンは、該装飾パターンの一端から他端まで延伸する平行な複数の線で構成されていることを特徴とする請求項１〜５のいずれか一項に記載の部品の製造方法。
【請求項７】
前記最後に描画される装飾パターンの線の配置間隔は、他の装飾パターンにおける線の配置間隔よりも短いことを特徴とする請求項６に記載の部品の製造方法。
【請求項８】
前記複数の装飾パターンの数は、６個以上２０個以下である請求項１〜７のいずれか一項に記載の部品の製造方法。
【請求項９】
前記装飾パターンは前記装飾領域より面積が小さく、同じ前記装飾パターンが前記重畳する方向と直交する平面方向に複数並んで前記装飾領域を覆うように描画され、前記平面方向で隣接する前記装飾パターン間で、前記装飾パターンを構成する線が連続するようにシフトしながら前記レーザ光を順次照射すること特徴とする請求項１〜８のいずれか一項に記載の部品の製造方法。
【請求項１０】
前記装飾パターンは前記装飾領域より面積が小さく、同じ前記装飾パターンが前記重畳する方向と直交する平面方向に複数並んで前記装飾領域を覆うように描画され、前記平面方向の隣接する前記装飾パターンの境界線は、前記重畳する方向で互いに異なる位置になるようにシフトしながら前記レーザ光を順次照射すること特徴とする請求項１〜８のいずれか一項に記載の部品の製造方法。
【請求項１１】
前記装飾はヘアライン模様であることを特徴とする請求項１〜１０のいずれか一項に記載の部品の製造方法。
【請求項１２】
レーザ光の照射により複数の線で構成された装飾が施された部品であって、
前記複数の線のそれぞれの深さは、所定の単位深度の整数倍である、ことを特徴とする部品。
【請求項１３】
前記装飾の最表面に形成されている線は、連続かつ平行な直線であることを特徴とする請求項１２に記載の部品。
【発明の詳細な説明】
【技術分野】
【０００１】
本発明は、部品、及びその製造方法に関する。
【背景技術】
【０００２】
腕時計のバンドを構成する内駒及び外駒等の装飾部品に種々の方法で装飾を施すことが知られている。例えば、特許文献１には、圧印工具等の専用工具及びレーザ光による転写、研削模様付け、及び彫刻模様付け等の装飾を、金属材料、プラスティック材料及びセラミック材料等により形成される装飾部品に装飾を施すことが記載される。
【０００３】
また、多数の毛髪状の筋が単一方向に流れる模様であるヘアライン模様が知られている。一般に、ヘアライン模様は、ブラシ等の工具により物理的に傷を付けて微細な溝を形成するヘアライン加工により装飾部品に施される。ヘアライン模様が施された装飾部品は、金属的な質感が強調され、落ち着いた雰囲気の意匠を有することができる。ヘアライン加工を腕時計のバンドの内駒及び外駒等の小さな装飾部品に実行するとき、ヘアライン加工を実行しない部分へのマスキング、ヘアライン加工後の洗浄、及びマスキング部材の剥離等の多くの工程を伴うため、製造コストの低減が容易ではない。
【０００４】
特許文献２には、レーザ光によりヘアライン模様を自動車の内装部品に施す技術が記載されている。特許文献２に記載される技術は、曲率半径が極めて大きく且つ曲率が異なる複数の円弧状曲線をレーザ加工により形成することで、微細且つ本物のヘアライン模様の風合いに近い模様を施すことができる。
【先行技術文献】
【特許文献】
【０００５】
【特許文献１】特開昭５８―２２１６８８号公報
【特許文献２】特開２０１６―１１７２７０号公報
【発明の概要】
【発明が解決しようとする課題】
【０００６】
特許文献２に記載される技術は、自動車の内装部品等の比較的大きな部品では、微細且つ本物のヘアライン模様の風合いに近い模様を施すことができる。しかしながら、特許文献２に記載される技術により形成される模様は、腕時計のバンドの内駒及び外駒等の小さな部品では、ヘアラインの筋目が細かくならず、所望の意匠が実現されない。
【０００７】
そこで、本発明では、腕時計のバンドの内駒及び外駒等の小さな部品にヘアライン模様の風合いに近い模様を施すことが可能な部品の製造方法を提供することを目的とする。
【課題を解決するための手段】
【０００８】
本発明は、表面に装飾領域を有し、該装飾領域にレーザ光による装飾が施された部品の製造方法であって、装飾領域に、複数の線によって構成される装飾パターンを複数重畳して描画するようにレーザ光を順次照射することを特徴とするものである。
複数の装飾パターンは全て同じパターンであり、少なくとも２つの装飾パターン間で線の延伸方向が異なるようにレーザ光を照射してもよい。
また、装飾パターンの少なくとも２つは異なるパターンで描画されていてもよい。
複数の装飾パターンの中で最後に描画される装飾パターンは、該装飾パターンの一端から他端まで延伸する平行な複数の線で構成されていることが好ましい。
装飾パターン間の線の延伸方向の角度差は全体を通して±１°の範囲内であることが好ましい。
この場合、線の延伸方向の角度差は±０．１°以内であることが好ましい。
最後に描画される装飾パターンの線の配置間隔は、他の装飾パターンにおける線の配置間隔よりも短いことが好ましい。
また、複数の装飾パターンの数は、６個以上２０個以下であることが好ましい。
さらに、装飾パターンは装飾領域より面積が小さく、同じ装飾パターンが重畳する方向と直交する平面方向に複数並んで装飾領域を覆うように描画され、平面方向で隣接する装飾パターン間で、装飾パターンを構成する線が連続するようにシフトしながらレーザ光を順次照射するようにしてもよい。
また、装飾パターンは装飾領域より面積が小さく、同じ装飾パターンが重畳する方向と直交する平面方向に複数並んで装飾領域を覆うように描画され、平面方向の隣接する装飾パターンの境界線は、重畳する方向で互いに異なる位置になるようにシフトしながらレーザ光を順次照射してもよい。
上記装飾はヘアライン模様であるのが好ましい。
また本発明は、レーザ光の照射により複数の線で構成された装飾が施された部品であって、複数の線のそれぞれの深さは、所定の単位深度の整数倍である、ことを特徴とするものである。
この場合、装飾の最表面に形成されている線は、連続かつ平行な直線であることが好ましい。
【発明の効果】
【０００９】
本発明によれば、時計のバンドの内駒及び外駒等の小さな部品にヘアライン模様の風合いに近い模様を施すことができる。
【図面の簡単な説明】
【００１０】
【図１】実施形態に係る中駒及び外駒を有するバンドの斜視図である。
【図２】図１に示すバンドの部分拡大斜視図である。
【図３】図２に示す第１中駒面の平面図である。
【図４】（ａ）は図２に示す第１中駒面の部分拡大図であり、（ｂ）は（ａ）に示すＡ−Ｂ線に沿った断面を示す図である。
【図５】図２に示す第１中駒面、第２外駒面及び第３外駒面のそれぞれに装飾模様を描画するレーザ加工装置を示す図である。
【図６】図５に示す記憶部に記憶される装飾パターンデータに対応する装飾パターンの一部を拡大した図である。
【図７】図５に示す記憶部に記憶される装飾パターンデータに対応する装飾パターンの一部を拡大した図である。
【図８】図５に示すレーザ加工装置による装飾模様描画処理のフローチャートである。
【図９】（ａ）は図５に示すレーザ加工装置による装飾模様描画処理によって中駒に装飾模様が形成されたバンドを示す図であり、（ｂ）はブラシによるヘアライン加工によって中駒にヘアライン模様が形成されたバンドを示す図である。
【図１０】第１変形例に係る装飾模様描画処理を説明するための図である。
【図１１】第１変形例に係る装飾模様描画処理を実行するレーザ加工装置を示す図である。
【図１２】図１１に示すレーザ加工装置による装飾模様描画処理のフローチャートである。
【図１３】第２変形例に係る装飾模様描画処理を説明するための図である。
【発明を実施するための形態】
【００１１】
以下、図面を参照しつつ、実施形態に係る部品の製造方法について説明する。ただし、本発明は図面又は以下に記載される実施形態には限定されないことを理解されたい。本実施形態に係る部品の製造方法では、所定の延伸方向に延伸する直線により形成される複数の装飾パターンを装飾領域に重畳してレーザ光により描画することで、時計のバンドの内駒及び外駒にヘアライン模様の風合いに近い模様を施すことができる。
なお、本実施形態では、時計のバンドへ適用した例を示しているがそれだけには限定されず、例えば、時計のケース、裏蓋、文字板、ムーブ部品等であっても良いし、時計以外の装飾品などの部品であっても良い。
【００１２】
（実施形態に係る中駒及び外駒を有するバンドの構造及び機能）
図１は、実施形態に係る中駒及び外駒を有するバンドの斜視図である。
【００１３】
バンド１は、中駒２と、外駒３と、軸部材４と、中留５と、一対のエンドピース６ａ及び６ｂとを有する。中駒２及び外駒３は、チタン及びステンレス鋼等の金属製の部材であり、中駒２がバンド１の幅方向の内側に位置し、外駒３がバンド１の幅方向の外側に位置するように隣合って配置される。なお、中駒２及び外駒３は、ポリウレタン等の合成樹脂材料により形成されてもよい。
【００１４】
軸部材４は、ピンとも称され、中駒２及び外駒３のそれぞれに形成される貫通孔に挿入されて、隣接する中駒２及び外駒３を連結する。中留５は、バックルとも称され、１２時側バンドと６時側バンド部を連結する金属製の部品である。一対のエンドピース６ａ及び６ｂのそれぞれは、時計本体のケースと接続される金属製の接続部品である。
【００１５】
図２は、バンド１の部分拡大斜視図である。
【００１６】
中駒２は、第１中駒面２ａと、第２中駒面２ｂと、第３中駒面２ｃとを有する。第１中駒面２ａは、バンド１の表面側に、バンド１の延伸方向と略平行に延伸する平面である。第１中駒面２ａは、レーザ光により描画された直線により形成される複数の装飾パターンが重畳して描画される装飾領域である。第２中駒面２ｂは、第１中駒面２ａのバンド１の延伸方向と直交する一方の辺から第１中駒面２ａの延伸方向から傾斜して延伸する鏡面加工された面である。第３中駒面２ｃは、第１中駒面２ａのバンド１の延伸方向と直交する他方の辺から第１中駒面２ａの延伸方向から傾斜して延伸する鏡面加工された面である。
【００１７】
図３は第１中駒面２ａの平面図であり、図４（ａ）は第１中駒面２ａの部分拡大図であり、図４（ｂ）は図４（ａ）に示すＡ−Ｂ線に沿った断面を示す図である。
【００１８】
図３に図示するように、第１中駒面２ａは、平行に延伸する複数の線により形成される複数の装飾パターンが重畳して描画される。一例では、第１中駒面２ａは、第１装飾パターン２２１〜第１０装飾パターン２３０の１０個の装飾パターンが重畳して描画される。例えば、第１装飾パターン２２１〜第１０装飾パターン２３０を構成する線は、第１装飾パターン２２１〜第１０装飾パターン２３０のそれぞれで略平行に延伸する。第１装飾パターン２２１〜第１０装飾パターン２３０のそれぞれを構成する線の延伸方向の角度差は、全体を通して±１°の範囲内に収まることが好ましく、さらには±０．１°の範囲内であるのが好ましい。この角度差は、線が平行となる０°になるように装飾パターンを重畳しても、ヘアライン模様の風合いに近い模様を表現することができるが、複数の装飾パターン全体を通して上記範囲内で線をずらすことによって、よりヘアライン模様の風合いとすることができる。
なお、複数の装飾パターンはすべて同じパターンであってもよく、その際は、少なくとも２つの装飾パターン間で線の延伸方向が異なるように描画する。この場合、装飾パターン間で相互にずらしながら装飾領域を線で埋めるように描画するのが好ましい。これにより、ヘアライン模様の風合いに近い模様を表現することができる。
【００１９】
図４（ａ）に図示するように第１中駒面２ａには、互いに略平行に延伸する第１直線３０１〜第４直線３０４が形成される。第１直線３０１〜第４直線３０４のそれぞれは、円形状の照射面を有するレーザ光を第１中駒面２ａに一方向に徐々にシフトさせながら照射することで形成される。これにより、第１直線３０１〜第４直線３０４のそれぞれは、平面視したときに、うろこ状の形状を有する凹部が連続して配置された形状を有する。
【００２０】
第１直線３０１〜第４直線３０４のそれぞれは、複数の装飾パターンを形成する直線を重畳して形成される。第１直線３０１は４つの装飾パターンを形成する直線が重畳して形成され、第２直線３０２は３つの装飾パターンを形成する直線が重畳して形成される。第３直線３０３は６つの装飾パターンを形成する直線が重畳して形成され、第４直線３０４は８つの装飾パターンを形成する直線が重畳して形成される。
【００２１】
図４（ｂ）に図示するように、第１直線３０１の深さは１回当たりのレーザ照射で掘削される掘削量ｄの４倍である４ｄ（３ｄ＋ｄ）であり、第２直線３０２の深さは１回当たりのレーザ照射で掘削される掘削量ｄの３倍である３ｄである。第３直線３０３の深さは１回当たりのレーザ照射で掘削される掘削量ｄの６倍である６ｄ（３ｄ＋ｄ＋２ｄ）であり、第４直線３０４の深さは１回当たりのレーザ照射で掘削される掘削量ｄの８倍である８ｄ（３ｄ＋ｄ＋２ｄ＋２ｄ）である。すなわち、第１直線３０１〜第４直線３０４のそれぞれの深さは、１回当たりのレーザ照射で掘削される掘削量ｄである単位深度の整数倍となる。一例では、中駒２の厚さが３ｍｍ程度であるとき、レーザ照射で掘削される掘削量の最大値は１０μｍ程度である。なお、更にレーザ照射を重ねることでより深く掘削することができる。
【００２２】
外駒３は、第１外駒面３ａと、第２外駒面３ｂと、第３外駒面３ｃとを有する。第１外駒面３ａは、バンド１の表面側に、バンド１の延伸方向と略平行に延伸する鏡面加工された平面である。第２外駒面３ｂは、第１外駒面３ａのバンド１の延伸方向と直交する一方の辺から第１外駒面３ａの延伸方向から傾斜して延伸する鏡面加工された面である。第３外駒面３ｃは、第１外駒面３ａのバンド１の延伸方向と直交する他方の辺から第１外駒面３ａの延伸方向から傾斜して延伸する面である。第２外駒面３ｂ及び第３外駒面３ｃは、平行に延伸する複数の直線により形成される複数の装飾パターンが重畳して描画される装飾領域である。
【００２３】
第２外駒面３ｂ及び第３外駒面３ｃは、第１中駒面２ａと同様に、円形状の照射面を有するレーザ光を一方向に徐々にシフトさせながら照射することで、複数の装飾パターンを描画することで形成される。
【００２４】
図５は、第１中駒面２ａ、第２外駒面３ｂ及び第３外駒面３ｃのそれぞれに装飾模様を描画するレーザ加工装置を示す図である。
【００２５】
レーザ加工装置１００は、レーザ照射装置１１と、部品移送装置１２と、加工台１３と、加工台駆動装置１４と、ＬＡＮ１５と、演算装置１６とを有する。
【００２６】
レーザ照射装置１１は、レーザ発振器と、レーザ発振器から放射されるレーザ光を伝送する光ファイバ等の光路と、光路を伝送したレーザ光を集光して第１中駒面２ａ等の装飾領域に出射する集光部とを有する。レーザ照射装置１１のレーザ発振器は、ＹＡＧレーザ等の固体型発振器及びＣＯ2レーザ等の気体型発振器等である。
【００２７】
部品移送装置１２は、中駒２及び外駒３等の部品を保持可能なアームを有し、演算装置１６からの指示に応じて、部品を移送する。以下、装飾が施される部品を中駒２として実施形態を説明する。部品移送装置１２は、第１中駒面２ａに装飾が施される中駒２を加工台１３の表面の照射位置に配置する。また、部品移送装置１２は、第１中駒面２ａに装飾が施された中駒２を加工台１３の表面の照射位置から不図示の保管位置に移送する。なお、部品の供給は手作業、又は外部機構等で行うことで部品移送装置１２を省略してもよい。
【００２８】
加工台１３は、金属等で形成される平板状の部材である。加工台駆動装置１４は、加工台１３を水平方向に移動可能に支持する。加工台駆動装置１４は、演算装置１６からの指示に応じて、中駒２の第１中駒面２ａに複数の装飾パターンのそれぞれが描画されるように、加工台１３を移動する。なお、本実施形態では、加工台１３を移動して加工するようにしているが、レーザ照射装置１１を移動しながら加工するようにしてもよい。
【００２９】
ＬＡＮ１５は、レーザ照射装置１１、部品移送装置１２及び加工台駆動装置１４と、演算装置１６との間とを接続する同軸ケーブル等の信号伝送路である。ＬＡＮ１５は、演算装置１６から出力される指示を示す信号を、レーザ照射装置１１、部品移送装置１２及び加工台駆動装置１４のそれぞれに伝送する。
【００３０】
演算装置１６は、通信部２１と、記憶部２２と、入力部２３と、出力部２４と、処理部３０とを有する。通信部２１、記憶部２２、入力部２３、出力部２４及び処理部３０は、バス２５を介して互いに接続される。
【００３１】
通信部２１は、イーサネット（登録商標）などの有線の通信インターフェース回路を有する。通信部２１は、ＬＡＮ１５を介してレーザ照射装置１１、部品移送装置１２、加工台駆動装置１４及び不図示の上位制御装置と通信を行う。
【００３２】
記憶部２２は、例えば、半導体記憶装置、磁気テープ装置、磁気ディスク装置、又は光ディスク装置のうちの少なくとも一つを備える。記憶部２２は、処理部３０での処理に用いられるオペレーティングシステムプログラム、ドライバプログラム、アプリケーションプログラム、データ等を記憶する。例えば、記憶部２２は、アプリケーションプログラムとして、中駒２及び外駒３等の部品の装飾領域に所望の装飾模様をレーザ光により描画する装飾模様描画処理を実行するための装飾模様描画プログラム等を記憶する。装飾模様描画プログラムプログラムは、例えばＣＤ−ＲＯＭ、ＤＶＤ−ＲＯＭ等のコンピュータ読み取り可能な可搬型記録媒体から、公知のセットアッププログラム等を用いて記憶部２２にインストールされてもよい。なお、演算装置１６の外部からＬＡＮ等を通じて直接、記憶部２２へ記憶させても良い。
【００３３】
また、記憶部２２は、装飾模様描画処理で使用される種々のデータを記憶する。例えば、記憶部２２は、中駒２及び外駒３等の部品の測色領域にレーザ光を照射して描画される複数の装飾パターンを示す装飾パターンデータを記憶する。さらに、記憶部２２は、所定の処理に係る一時的なデータを一時的に記憶してもよい。
【００３４】
図６、図７は、記憶部２２に記憶される装飾パターンデータに対応し、図３で図示した各装飾パターンの一部を拡大した図である。図６（ａ）は第１装飾パターン２２１を示し、図６（ｂ）は第２装飾パターン２２２を示し、図６（ｃ）は第３装飾パターン２２３を示し、図６（ｄ）は第４装飾パターン２２４を示し、図６（ｅ）は第５装飾パターン２２５を示し、図７（ｆ）は第６装飾パターン２２６を示す。また、図７（ｇ）は第７装飾パターン２２７を示し、図７（ｈ）は第８装飾パターン２２８を示し、図７（ｉ）は第９装飾パターン２２９を示し、図７（ｊ）は第１０装飾パターン２３０を示す。
【００３５】
本実施形態において、第１装飾パターン２２１〜第１０装飾パターン２３０のそれぞれは、互いに平行に延伸する直線により構成されている。一例では、第１装飾パターン２２１〜第１０装飾パターン２３０は、一辺の長さが２０ｍｍの正方形状のパターンである。
【００３６】
図６（ａ）に示す第１装飾パターン２２１は、延伸方向の一端から他端まで延伸する直線と、途中で破断した直線との組み合わせ構成され、それら直線の延伸方向と直交する方向の配置間隔は不均一となっている。
【００３７】
図６（ｂ）に示す第２装飾パターン２２２は、途中で破断した直線が延伸方向にずれながら組み合わされて構成され、これら直線の延伸方向と直交する方向の配置間隔は等間隔となっている。
【００３８】
図６（ｃ）に示す第３装飾パターン２２３は、延伸方向の一端から他端まで延伸する直線と、途中で破断した直線との組み合わせ構成され、延伸方向の一端から他端まで延伸する直線の３本と途中で破断した直線とが、規則的な所定の配置間隔で配置されている。
【００３９】
図６（ｄ）に示す第４装飾パターン２２４は、かぎ型の単位模様がアレイ状に配置されることで形成される。かぎ型の単位模様は、延伸方向に延伸する第１直線と、第１直線の一端から延伸方向から４５°シフトした方向に延伸する第２直線と、第１直線の他端から延伸方向から−４５°シフトした方向に延伸する第３直線により形成される。第４装飾パターン２２４において、直線の延伸方向は、第１直線の延伸方向である。
【００４０】
図６（ｅ）に示す第５装飾パターン２２５は、第４装飾パターン２２４を形成する単位模様よりも大きいかぎ型の単位模様がアレイ状に配置されることで形成される。かぎ型の単位模様は、第４装飾パターン２２４と同様に、延伸方向に延伸する第１直線と、第１直線の両端のそれぞれから延伸方向から±４５°シフトした方向に延伸する第２直線及び第３直線により形成される。第５装飾パターン２２５において、直線の延伸方向は、第１直線の延伸方向である。
【００４１】
図７（ｆ）に示す第６装飾パターン２２６は、延伸方向に配列された単位直線組が延伸方向から直交する方向に等間隔離隔して配置されることで構成される。単位直線組は、延伸方向に延伸する第１直線と、第１直線から延伸方向に第１距離離隔して配置された第１直線よりも短い第２直線と、第２直線から延伸方向に第１距離離隔して配置された第１直線よりも長い第３直線とを含む。
【００４２】
図７（ｇ）に示す第７装飾パターン２２７は、延伸方向に配列された単位直線組が延伸方向から直交する方向に等間隔離隔して配置されることで構成される。単位直線組は、延伸方向に延伸する第１直線と、第１直線から延伸方向に第１距離離隔して配置された第１直線よりも短い複数の第２直線と、第２直線から延伸方向に第１距離離隔して配置された第１直線よりも長い第３直線とを含む。
【００４３】
図７（ｈ）に示す第８装飾パターン２２８は、延伸方向に配列された第１直線組及び第２直線組が延伸方向から直交する方向に等間隔離隔して交互に配置されることで構成される。第１直線組及び第２直線組のそれぞれは、延伸方向に延伸する同一長さを有し、延伸方向に同一間隔で配置される複数の直線を含む。第１直線組の最左端に位置する直線の一端は第８装飾パターン２２８の左端に接し、第２直線組の最右端に位置する直線の他端は第８装飾パターン２２８の右端に接する。
【００４４】
図７（ｉ）に示す第９装飾パターン２２９は、延伸方向の一端から他端まで延伸する３つの直線を含む直線組を、延伸方向に直交する方向に等間隔に配置することで構成される。第９装飾パターン２２９の直線組に含まれる３つの直線の間の延伸方向に直交する方向の間隔は、直線組のそれぞれで相違する。
【００４５】
図７（ｊ）に示す第１０装飾パターン２３０を形成する直線は、延伸方向の一端から他端まで延伸する。第１０装飾パターン２３０を形成する直線は、延伸方向に直交する方向の離隔距離が第１装飾パターン２２１〜第９装飾パターン２２９の何れの直線の延伸方向に直交する方向の離隔距離よりも短くなるように配置される。このような第１０装飾パターン２３０を最後に加工することによって、最表面に形成されている直線は、連続して、かつ平行となる。このように、直線の延伸方向に直交する方向の配置間隔が短く、延伸方向の一端から他端まで連続して延伸する直線でレーザ照射することにより、よりヘアライン模様のリアリティ感が増し、ブラシ加工と遜色ない加工が行なえる。なお、最後に施す第１０装飾パターンは、線の延伸方向に直交する方向の離隔距離が、必ずしも第１装飾パターン２２１〜第９装飾パターン２２９に比して短くなくてもよく、この場合であってもヘアライン模様の風合いに近い模様を表現することが可能である。
【００４６】
図５に戻り、入力部２３は、データの入力が可能であればどのようなデバイスでもよく、例えば、タッチパネル、キーボード等である。作業者は、入力部２３を用いて、文字、数字、記号等を入力することができる。入力部２３は、作業者により操作されると、その操作に対応する信号を生成する。そして、生成された信号は、作業者の指示として、処理部３０に供給される。
【００４７】
出力部２４は、映像や画像等の表示が可能であればどのようなデバイスでもよく、例えば、液晶ディスプレイ又は有機ＥＬ（Electro−Luminescence）ディスプレイ等である。出力部２４は、処理部３０から供給された映像データに応じた映像や、画像データに応じた画像等を表示する。また、出力部２４は、紙などの表示媒体に、映像、画像又は文字等を印刷する出力装置であってもよい。
【００４８】
処理部３０は、一又は複数個のプロセッサ及びその周辺回路を有する。処理部３０は、演算装置１６の全体的な動作を統括的に制御するものであり、例えば、ＣＰＵである。処理部３０は、記憶部２２に記憶されているプログラム（ドライバプログラム、オペレーティングシステムプログラム、アプリケーションプログラム等）に基づいて処理を実行する。また、処理部３０は、複数のプログラム（アプリケーションプログラム等）を並列に実行できる。
【００４９】
処理部３０は、部品移送指示部３１と、装飾パターンデータ取得部３２と、レーザ照射指示部３３と、パターン数計数部３４とを有する。これらの各部は、処理部３０が備えるプロセッサで実行されるプログラムにより実現される機能モジュールである。あるいは、これらの各部は、ファームウェアとして演算装置１６に実装されてもよい。
【００５０】
（実施形態に係るレーザ加工装置１００による装飾模様描画処理）
図８は、レーザ加工装置１００による装飾模様描画処理のフローチャートである。図８に示す装飾模様描画処理は、予め記憶部２２に記憶されているプログラムに基づいて、主に処理部３０により演算装置１６の各要素と協働して実行される。また、図８に示す装飾模様描画処理は、中駒２及び外駒３等の部品を製造する製造工程の一工程として実行される。
【００５１】
まず、部品移送指示部３１は、装飾が施される装飾領域を表面に有する部品を所定の照射位置に配置することを示す部品配置指示信号を部品移送装置１２に出力する（Ｓ１０１）。部品移送装置１２は、部品配置指示信号が入力されることに応じて、中駒２を加工台１３の表面の照射位置に配置する。
【００５２】
次いで、装飾パターンデータ取得部３２は、第１装飾パターン２２１〜第１０装飾パターン２３０のそれぞれを示す装飾パターンデータを記憶部２２から取得する（Ｓ１０２）。
【００５３】
次いで、パターン数計数部３４は、パラメータ「Ｎ」を「０」に設定する（Ｓ１０３）。次いで、パターン数計数部３４は、パラメータ「Ｎ」をインクリメントして「１」とする（Ｓ１０４）。
【００５４】
次いで、レーザ照射指示部３３は、レーザ光により第１装飾パターンを第１中駒面２ａに位置する装飾領域に第１装飾パターンを描画することを示す第１装飾パターン描画指示信号をレーザ照射装置１１及び加工台駆動装置１４に出力する（Ｓ１０５）。レーザ照射装置１１は、第１装飾パターン描画指示信号の入力に応じて、第１装飾パターンを描画するように、レーザ光を装飾領域に一定の出力で出力する。また、加工台駆動装置１４は、第１装飾パターン描画指示信号の入力に応じて、第１装飾パターン２２１を描画するように加工台１３を移動する。なお、本実施形態では、加工台１３を移動して加工するようにしているが、レーザ照射装置１１を移動しながら加工するようにしてもよい。
【００５５】
次いで、パターン数計数部３４は、パラメータ「Ｎ」が「１０」に一致するか否かを判定する（Ｓ１０６）。ここでは、パラメータ「Ｎ」は「１」であるので、パラメータ「Ｎ」が「１０」に一致しないと判定し（Ｓ１０６−ＮＯ）、処理はＳ１０４に戻る。パターン数計数部３４がパラメータ「Ｎ」が「１０」に一致する（Ｓ１０６−ＹＥＳ）まで、Ｓ１０４〜Ｓ１０６の処理が繰り返される。Ｓ１０４〜Ｓ１０６の処理が繰り返されることで、第１中駒面２ａに位置する装飾領域に第１装飾パターン２２１〜第１０装飾パターン２３０のそれぞれが重畳して描画するように、レーザ光が順次照射される。
【００５６】
パターン数計数部３４がパラメータ「Ｎ」が「１０」に一致する（Ｓ１０６−ＹＥＳ）と、部品移送指示部３１は、装飾領域に装飾が施された部品を照射位置から移送することを示す部品移送指示信号を部品移送装置１２に出力する（Ｓ１０７）。部品移送装置１２は、部品移送指示信号が入力されることに応じて、中駒２を加工台１３の表面の照射位置から、不図示の保管場所に移送する。
【００５７】
（実施形態に係る部品の製造方法の作用効果）
レーザ加工装置１００による装飾模様描画処理は、装飾領域にレーザ光により複数の装飾パターンを重畳するように描画することで、腕時計のバンドの内駒及び外駒等の小さな部品にヘアライン模様の風合いに近い模様を施すことができる。
【００５８】
図９（ａ）はレーザ加工装置１００による装飾模様描画処理によって中駒に装飾模様が形成されたバンドを示す図であり、図９（ｂ）はブラシによるヘアライン加工によって中駒にヘアライン模様が形成されたバンドを示す図である。
【００５９】
図９（ａ）及び９（ｂ）に示されるように、レーザ加工装置１００による装飾模様描画処理によって中駒に形成された装飾模様は、ブラシにより形成されるヘアライン模様の風合いに近い模様とすることができる。
【００６０】
また、レーザ加工装置１００による装飾模様描画処理は、レーザ光により装飾模様を形成するので、ブラシ等の工具を使用するヘアライン加工で実行されるマスキング、洗浄及びマスキング部材を剥離する工程を省略できる。レーザ加工装置１００による装飾模様描画処理は、マスキング、洗浄及びマスキング部材を剥離する工程を省略できるので、ブラシ等の工具を使用するヘアライン加工よりも製造コストを低減できる。
【００６１】
また、レーザ加工装置１００は、直線の配置間隔が最も短い第１０装飾パターン２３０を最後に描画することで、装飾領域に形成される装飾模様の均一性が向上し、よりヘアライン模様の風合いに近い模様を施すことができる。
【００６２】
また、レーザ加工装置１００では、第１装飾パターン２２１〜第１０装飾パターン２３０は、装飾パターン間の線の延伸方向の角度差が全体を通して±１°の範囲内とするので、よりヘアライン模様の風合いに近い模様を施すことができる。
【００６３】
また、レーザ加工装置１００では、レーザ照射装置１１は装飾パターンを描画するときに一定の出力でレーザ光を出力するので、レーザ光の出力の変動に伴ってレーザ光の出力が不安定になるおそれはない。
【００６４】
（実施形態に係る部品の製造方法の変形例）
図１０は、第１変形例に係る装飾模様描画処理を説明するための図である。
【００６５】
第１変形例に係る装飾模様描画処理は、装飾模様描画処理が実行される装飾領域の面積が複数の装飾パターンの面積、すなわちレーザ光が照射可能な面積よりも大きい場合の変形例である。図１０に示す例では、装飾領域の面積は、装飾パターンの面積の約４倍である。
【００６６】
第１変形例に係る装飾模様描画処理では、装飾パターンを横方向及び縦方向に移動するときに、隣接する装飾パターンの間で、装飾パターンを形成する直線が連続して延伸するように配置される。
【００６７】
図１０では、第１位置２５１に描画される装飾パターンを形成する直線と、第２位置２５２及び第３位置２５３に描画される装飾パターンを形成する直線とが連続して延伸する。また、第２位置２５２に描画される装飾パターンを形成する直線と、第１位置２５１及び第４位置２５４に描画される装飾パターンを形成する直線とが連続して延伸する。また、第３位置２５３に描画される装飾パターンを形成する直線と、第１位置２５１及び第４位置２５４に描画される装飾パターンを形成する直線とが連続して延伸する。そして、第４位置２５４に描画される装飾パターンを形成する直線と、第２位置２５２及び第３位置２５３に描画される装飾パターンを形成する直線とが連続して延伸する。
【００６８】
図１１は、第１変形例に係る装飾模様描画処理を実行するレーザ加工装置を示す図である。
【００６９】
レーザ加工装置２００は、演算装置１７を演算装置１６の代わりに有することがレーザ加工装置１００と相違する。演算装置１７は、部品移送指示部４１を有する処理部４０を、部品移送指示部３１を有する処理部３０の代わりに有することが演算装置１６と相違する。部品移送指示部４１以外のレーザ加工装置２００の構成要素の構成及び機能は、同一符号が付されたレーザ加工装置２００の構成要素の構成及び機能と同一なので、ここでは詳細な説明は省略する。
【００７０】
（変形例に係るレーザ加工装置２００による装飾模様描画処理）
図１２は、レーザ加工装置２００による装飾模様描画処理のフローチャートである。図１２に示す装飾模様描画処理は、予め記憶部２２に記憶されているプログラムに基づいて、主に処理部４０により演算装置１７の各要素と協働して実行される。また、図１１に示す装飾模様描画処理は、中駒２及び外駒３等の部品を製造する製造工程の一工程として実行される。
【００７１】
Ｓ２０１〜Ｓ２０４の処理は、Ｓ１０１〜Ｓ１０４の処理と同様なので、ここでは詳細な説明は省略する。部品移送指示部４１は、パラメータ「Ｍ」を「０」に設定する（Ｓ２０５）。次いで、部品移送指示部４１は、パラメータ「Ｍ」をインクリメントして「１」とする（Ｓ２０６）。次いで、部品移送指示部４１は、中駒２を第１位置に移動することを示す第１移動指示信号を加工台駆動装置１４に出力する（Ｓ２０７）。加工台駆動装置１４は、第１移動指示信号の入力に応じて中駒２を第１位置に移動する。第１位置は、装飾領域の左上の領域を描画する位置である。次いで、レーザ照射指示部３３は、レーザ光により第１装飾パターンを第１中駒面２ａに位置する装飾領域に第１装飾パターンを描画することを示す第１装飾パターン描画指示信号をレーザ照射装置１１及び加工台駆動装置１４に出力する（Ｓ２０８）。なお、本実施形態では、加工台１３を移動して加工するようにしているが、レーザ照射装置１１を移動しながら加工するようにしてもよい。
【００７２】
次いで、部品移送指示部４１は、パラメータ「Ｍ」が「４」に一致するか否かを判定する（Ｓ２０９）。ここでは、パラメータ「Ｍ」は「１」であるので、パラメータ「Ｍ」が「４」に一致しないと判定し（Ｓ２０９−ＮＯ）、処理はＳ２０６に戻る。部品移送指示部４１がパラメータ「Ｍ」が「４」に一致する（Ｓ２０９−ＹＥＳ）まで、Ｓ２０６〜Ｓ２０９の処理が繰り返される。第２位置は、装飾領域の右上の領域を描画する位置であり且つ第２位置で描画される装飾パターンを形成する直線と、第１位置及び第４位置で描画される装飾パターンを形成する直線が連続して延伸するような位置である。第３位置は、装飾領域の左下の領域を描画する位置であり且つ第３位置で描画される装飾パターンを形成する直線と、第１位置及び第４位置で描画される装飾パターンを形成する直線が連続して延伸するような位置である。第４位置は、装飾領域の右下の領域を描画する位置であり且つ第４位置で描画される装飾パターンを形成する直線と、第２位置及び第３位置で描画される装飾パターンを形成する直線が連続して延伸するような位置である。
【００７３】
Ｓ２０６〜Ｓ２０９の処理が繰り返されることで、レーザ加工装置２００は、第１装飾パターン２２１を、隣接する装飾パターンの間で、装飾パターンを形成する直線が連続して延伸するようにシフトしながらレーザ光を順次照射することができる。また、レーザ加工装置２００は、第１中駒面２ａに位置する装飾領域に第１装飾パターン２２１の４倍の面積を有する装飾模様を描画することができる。Ｓ２１０〜Ｓ２１１の処理は、Ｓ１０６〜Ｓ１０７の処理と同様なので、ここでは詳細な説明は省略する。
【００７４】
第１変形例に係る装飾模様描画処理では、隣接する装飾パターンの間で、装飾パターンを形成する直線が連続して延伸するように装飾パターンを配置するので、装飾パターンよりも面積が大きい装飾領域に装飾パターンの境界がない装飾模様が形成される。
【００７５】
図１３は、第２変形例に係る装飾模様描画処理を説明するための図である。
【００７６】
第２変形例に係る装飾模様描画処理は、第１変形例に係る装飾模様描画処理と同様に、装飾模様描画処理が実行される装飾領域の面積が複数の装飾パターンの面積よりも大きい場合の変形例である。図１３に示す例では、装飾領域の面積は、装飾パターンの面積の約４倍である。なお、本実施形態では２×２面で実施しているがＮ×ｎ面のＮ及びｎに制限は無い。
【００７７】
第２変形例に係る装飾模様描画処理では、複数の装飾パターンのそれぞれを横方向及び縦方向に移動するときに、隣接する装飾パターンとの境界線が互いに異なる位置になるように配置される。
【００７８】
図１３では、第１装飾パターン２６１を描画するための４つの位置の間の境界線は、第２装飾パターン２６２〜第１０装飾パターン２７０を描画するための４つの位置の間の境界線と異なる位置となる。同様に第２装飾パターン２６２〜第１０装飾パターン２７０のそれぞれを描画するための４つの位置の間の境界線は、他の装飾パターンを描画するための４つの位置の間の境界線と異なる位置となる。不図示のレーザ加工装置は、Ｓ２０６〜Ｓ２０９の処理と同様な処理を繰り返すことで、隣接する装飾パターンとの境界線が、複数の装飾パターンの間で互いに異なる位置になるようにシフトしながらレーザ光を順次照射することができる。第２変形例に係る装飾模様描画処理は、第１変形例に係る装飾模様描画処理と同様なので、ここでは詳細な説明は省略する。
【００７９】
第２変形例に係る装飾模様描画処理では、隣接する装飾パターンとの境界線が互いに異なる位置になるように複数の装飾パターンを配置するので、隣接する装飾パターンとの境界線は、他の装飾パターンにより重畳されて視認され難くなる。第２変形例に係る装飾模様描画処理は、隣接する装飾パターンとの境界線が視認され難くい装飾模様が形成される。
【００８０】
また、説明された部品の製造方法では、第１装飾パターン２２１〜第１０装飾パターン２３０の１０個の装飾パターンを使用して装飾模様が形成されたが、実施形態に係る部品の製造方法では、６個以上２０個以下の装飾パターンを使用してもよい。重畳する装飾パターンの数が５個以下のとき、形成される装飾模様は、ヘアライン模様の風合いに近い模様となり難い。また、重畳する装飾パターンの数が２１個以上のとき、レーザ照射により形成される酸化被膜の厚さが厚くなり、装飾パターンが変色するおそれがある。
【００８１】
なお、本実施形態では、第１装飾パターン２２１〜第１０装飾パターン２３０のそれぞれは、構成する線が互いに平行に延伸するように形成されているが、複数の装飾パターンのそれぞれについて、構成する線の延伸方向の角度差が±１°以下となっていてもよい。
【符号の説明】
【００８２】
１    バンド
２    中駒
３    外駒
４    軸部材
５    中留
６ａ、６ｂ    エンドピース
１１    レーザ照射装置
１２    部品移送装置
１３    加工台
１４    加工台駆動装置
１５    ＬＡＮ
１６、１７    演算装置
３１、４１    部品移送指示部
３２    装飾パターンデータ取得部
３３    レーザ照射指示部
３４    パターン数計数部
【図１】
2019195979.tif 000003
【図２】
2019195979.tif 000004
【図３】
2019195979.tif 000005
【図４】
2019195979.tif 000006
【図５】
2019195979.tif 000007
【図６】
2019195979.tif 000008
【図７】
2019195979.tif 000009
【図８】
2019195979.tif 000010
【図９】
2019195979.tif 000011
【図１０】
2019195979.tif 000012
【図１１】
2019195979.tif 000013
【図１２】
2019195979.tif 000014
【図１３】
2019195979.tif 000015